(57)【要約】【課題】  簡易な構成により（具体的には重力方向を検出することで）、表示対象画像に含まれる、上下向きを正姿勢属性として持つ少なくとも１つの回転オブジェクトを、その姿勢が正しくなるように表示画面に表示する。【解決手段】  表示対象画像に含まれる、上下向きを正姿勢属性として持つ少なくとも１つの回転オブジェクトを、その姿勢が正しくなるように表示画面に表示する画像表示装置１であって、重力方向を検出する重力方向検出部１３１と、前記表示画面内での前記各回転オブジェクトの上下方向が、重力方向の前記表示画面への投影方向に一致するように、前記各オブジェトの姿勢を調整する回転オブジェクト処理部１３２とを備える。【選択図】  図１
2007310031.tif 000002
【特許請求の範囲】
【請求項１】
表示対象画像に含まれる、上下向きを正姿勢属性として持つ少なくとも１つの回転オブジェクトを、その姿勢が正しくなるように表示画面に表示する画像表示装置であって、
重力方向を検出する重力方向検出部と、
前記表示画面内での前記各回転オブジェクトの上下方向が、重力方向の前記表示画面への投影方向に一致するように、前記各オブジェトの姿勢を調整する回転オブジェクト処理部と、
を備えたことを特徴とする画像表示装置。
【請求項２】
前記表示対象画像が、固定画像レイヤーと回転オブジェクトレイヤーとを有してなることを特徴とする請求項１に記載に画像表示装置。
【請求項３】
前記各回転オブジェクトが前記表示対象画像における背景に対する前景として表示されていることを特徴とする請求項１または２に記載の画像表示装置。
【請求項４】
前記表示対象画像が三次元画像であり、前記各回転オブジェクトが三次元空間内の立体回転オブジェクトであることを特徴とする請求項１から３の何れかに記載の画像表示装置。
【請求項５】
前記各回転オブジェクトが文字または記号を含むキャラクタであることを特徴とする請求項１から４の何れかに記載の画像表示装置。
【請求項６】
前記各回転オブジェクトの回転角が離散的に変化することを特徴とする請求項１から５の何れかに記載の画像表示装置。
【請求項７】
前記表示対象画像を、前記表示画面上に垂直な軸を中心（通常は表示画面の中央）に回転させる回転操作装置を備えていることを特徴とする請求項１から６の何れかに記載の画像表示装置。
【請求項８】
上下向きを正姿勢属性として持つ表示画像を、その姿勢が正しくなるように表示画面に表示する画像表示装置であって、
重力方向を検出する重力方向検出部と、
前記表示画像の上下方向が、重力方向の前記表示画面への投影方向に一致するように、前記表示画像の姿勢を調整する表示画像回転処理部と、
を備えたことを特徴とする画像表示装置。
【請求項９】
請求項１から８の何れかに記載の画像表示装置を含む携帯型電子機器。
【請求項１０】
表示対象画像に含まれる、上下向きを正姿勢属性として持つ少なくとも１つの回転オブジェクトを、その姿勢が正しくなるように表示画面に表示する画像表示方法であって、
前記表示画面内での前記各回転オブジェクトの上下方向が、重力方向の前記表示画面への投影方向に一致するように、前記各オブジェトの姿勢を調整することを特徴とする画像表示方法。
【請求項１１】
画像ファイルに回転オブジェクト情報が含まれているときは回転オブジェクトを記憶するステップと、
画像ファイルに回転オブジェクトテーブル含まれていないときは、回転オブジェクトテーブルを作成するステップと、
重力方向を表示画面に投影したときの当該表示画面上での方向を検出するステップと、
現在の前記方向が回転角度が閾値を超えたかを検出するステップと、
現在の前記方向が回転角度が閾値を超えたときに回転オブジェクトを回転させるステップと、
を含むことを特徴とする請求項１０に記載の画像表示方法。
【請求項１２】
上下向きを正姿勢属性として持つ表示画像を、その姿勢が正しくなるように表示画面に表示する画像表示方法であって、
重力方向を検出する重力方向検出ステップと、
前記表示画像の上下方向が、重力方向の前記表示画面への投影方向に一致するように、前記表示画像の姿勢を調整する回転オブジェクト処理ステップと、
を含むことを特徴とする画像表示方法。
【発明の詳細な説明】
【技術分野】
【０００１】
本発明は、表示対象画像に含まれる、上下向きを正姿勢属性として持つ少なくとも１つの回転オブジェクトを、その姿勢が正しくなるように表示画面に表示する画像表示装置、携帯型電子機器および画像表示方法に関し、具体的には、画面に表示される文字等の回転オブジェクトをユーザが見易い方向に自動的に向けることができる前記画像表示装置、携帯型電子機器および前記画像表示方法に関する。
【背景技術】
【０００２】
従来、携帯型電話機，ＰＤＡ，ポータブルゲーム機等の携帯型電子機器において、ディスプレイにたとえば文字や記号が含まれる画像を表示する場合、文字や記号はその上下方向がディスプレイの縦方向に一致するように表示される。
【０００３】
ところがディスプレイに表示する画像が地図である場合、携帯型電子機器の向きを変えて見やすくしたり、ユーザはディスプレイ上で地図を回転させて表示したりすることがある。
【発明の開示】
【発明が解決しようとする課題】
【０００４】
しかし、ユーザが携帯電子機器の向きを変えたような場合にも、文字の向きが変わるので見にくくなる。また、ユーザが画面上で地図を回転させる場合には、文字が地図と共に回転してしまうので見にくくなる。
【０００５】
本発明の目的は、簡易な構成により、表示対象画像に含まれる、上下向きを正姿勢属性として持つ少なくとも１つの回転オブジェクトを、その姿勢が正しくなるように表示画面に表示することができる画像表示装置、携帯型電子機器および画像表示方法を提供することにある。
【課題を解決するための手段】
【０００６】
本発明の画像表示装置は（１）から（８）を要旨とする。
（１）「  表示対象画像に含まれる、上下向きを正姿勢属性として持つ少なくとも１つの回転オブジェクトを、その姿勢が正しくなるように表示画面に表示する画像表示装置であって、
重力方向を検出する重力方向検出部と、
前記表示画面内での前記各回転オブジェクトの上下方向が、重力方向の前記表示画面への投影方向に一致するように、前記各オブジェトの姿勢を調整する回転オブジェクト処理部と、
を備えたことを特徴とする画像表示装置。」
（２）「  前記表示対象画像が、固定画像レイヤーと回転オブジェクトレイヤーとを有してなることを特徴とする（１）に記載に画像表示装置。
（３）「  前記各回転オブジェクトが前記表示対象画像における背景に対する前景として表示されていることを特徴とする（１）または（２）に記載の画像表示装置。」
（４）「  前記表示対象画像が三次元画像であり、前記各回転オブジェクトが三次元空間内の立体回転オブジェクトであることを特徴とする（１）から（３）の何れかに記載の画像表示装置。」
（５）「  前記各回転オブジェクトが文字または記号を含むキャラクタであることを特徴とする（１）から（４）の何れかに記載の画像表示装置。」
（６）「  前記各回転オブジェクトの回転角が離散的に変化することを特徴とする（１）から（４）の何れかに記載の画像表示装置。」
（７）「  前記表示対象画像を、前記表示画面上に垂直な軸を中心（通常は表示画面の中央）に回転させる回転操作装置を備えていることを特徴とする（１）から（６）の何れかに記載の画像表示装置。」
（８）「  上下向きを正姿勢属性として持つ表示画像を、その姿勢が正しくなるように表示画面に表示する画像表示装置であって、
重力方向を検出する重力方向検出部と、
前記表示画像の上下方向が、重力方向の前記表示画面への投影方向に一致するように、前記表示画像の姿勢を調整する表示画像回転処理部と、
を備えたことを特徴とする画像表示装置。」
本発明の画像表示装置は（９）を要旨とする。
（９）「  （１）から（８）の何れかに記載の画像表示装置を含む携帯型電子機器。」
本発明の画像表示方法は（１０）から（１２）を要旨とする。
（１０）「  表示対象画像に含まれる、上下向きを正姿勢属性として持つ少なくとも１つの回転オブジェクトを、その姿勢が正しくなるように表示画面に表示する画像表示方法であって、
前記表示画面内での前記各回転オブジェクトの上下方向が、重力方向の前記表示画面への投影方向に一致するように、前記各オブジェトの姿勢を調整することを特徴とする画像表示方法。」
（１１）「  画像ファイルに回転オブジェクト情報が含まれているときは回転オブジェクトを抽出するステップと、
画像ファイルに回転オブジェクトテーブル含まれるときは、回転オブジェクトテーブルを抽出するステップと、
重力方向を表示画面に投影したときの当該表示画面上での方向を検出するステップと、
現在の前記方向が回転角度が閾値を超えたかを検出するステップ、
現在の前記方向が回転角度が閾値を超えたときに回転オブジェクトを回転させるステップ、
とを含むことを特徴とする（１０）に記載の画像表示方法。」
（１２）「  上下向きを正姿勢属性として持つ表示画像を、その姿勢が正しくなるように表示画面に表示する画像表示方法であって、
重力方向を検出する重力方向検出ステップと、
前記表示画像の上下方向が、重力方向の前記表示画面への投影方向に一致するように、前記表示画像の姿勢を調整する回転オブジェクト処理ステップと、
を含むことを特徴とする画像表示方法。」
【発明の効果】
【０００７】
本発明によれば、簡易な構成により（具体的には重力方向を検出することで）、表示対象画像に含まれる、上下向きを正姿勢属性として持つ少なくとも１つの回転オブジェクトを、その姿勢が正しくなるように表示画面に表示することができる。
【発明を実施するための最良の形態】
【０００８】
以下、本発明の画像表示装置、携帯型電子機器および画像表示方法の実施形態を、携帯型電話を例に説明する。
【０００９】
図１は、携帯型電話機１（本発明の携帯型電子機器）を示す外観図であり、図２は、携帯型電子機器１のハードウェア・ブロック図である。なお、以下の携帯型電話機１は、代表敵的な構成例を示したものであり、本発明はこの構成例に限定されるものではない。
【００１０】
図１において、表示画面１１１には地図が表示されており、操作パネル１１２にはテンキーＴＫ等の各種操作キーを備えている。図１では表示画面１１１には、文字（数字や、病院、警察、学校を示すシンボルを含む）、記号等が表示された地図（表示対象画像Ｇ）が表示されている。表示対象画像Ｇの詳細については、図６において詳しく説明する。
【００１１】
図２において、携帯型電子機器１は、制御部１２１と、記憶部１２２と、通信部１２３と、音声入出力部１２４と、操作部１２５と、表示部１２６と、重力方向センサー１２７とを備えている。
【００１２】
制御部１２１はＣＰＵ１２１１とＲＯＭ１２１２とを備えている。ＲＯＭ１２１２には通信プログラム，発着信管理プログラム等の通常の携帯型電話機が備えるプログラムの他、本発明を実施するための重力方向検出プログラムＧＤｐｒｇ、回転オブジェクト処理プログラムＯＣｐｒｇ等が記憶されている。
【００１３】
記憶部１２２には、フォントデータ，発信・着信履歴データ，電話番号データ等のデータや、通信部１２３を介して受信した情報等の他、また、回転オブジェクトテーブルＴＢＬ（回転オブジェクトテーブルＴＢＬは、本発明では必須ではない）が記憶される。
【００１４】
通信部１２３は、音声の発着信や、音声データ・画像データの送受信を行う。
【００１５】
音声入出力部１２４は、通話時の会話等を行う際のマイクやスピーカからなる。
【００１６】
表示部１２６は、ＬＣＤ，ＥＬＤ等のディスプレイであり、図１の表示画面１１１のほか、図示しない表示回路を含む。
【００１７】
重力方向センサー１２７は、いわゆる半導体ジャイロからなり、重力方向を検知することができる。
【００１８】
図３は携帯型電話機１が回転オブジェクトの姿勢制御を行う際の機能を示すブロック図である。図３では、携帯型電話機１は、重力方向検出部１３１と、回転オブジェクト処理部１３２と、回転オブジェクトテーブル１３３とを有している。
【００１９】
重力方向検出部１３１は、図２に示した重力方向センサー１２７と重力方向検出部ＧＤｐｒｇとにより協働達成される。
【００２０】
回転オブジェクト処理部１３２は、図２に示した回転オブジェクト処理プログラムＯＣｐｒｇにより達成される。本実施形態では、表示対象画像Ｇに回転オブジェクトテーブル１３３が含まれていないときは、回転オブジェクト処理プログラムＯＣｐｒｇは、当該テーブルを作成することができる。
【００２１】
回転オブジェクトテーブル１３３は、図２に示した回転オブジェクトテーブルＴＢＬで示したものと同じである。
【００２２】
図３において、重力方向検出部１３１は、重力方向センサー１２７から重力方向（携帯電話機１を基準にした重力方向）の情報を取得し、表示画面１１１上での重力方向（ＧＤ：図４（Ａ）参照）の投影方向（ＭＤ：図４（Ａ）参照）を検出することができる。
【００２３】
図４（Ａ）は、重力方向ＧＤが表示画面１１１（図１参照）に投影された様子を示す図である。
【００２４】
図４（Ｂ）に、回転オブジェトの姿勢が調整された表示画面１１１を示す図である。図３の回転オブジェクト処理部１３２は、表示画面１１１内での各回転オブジェクトの上下方向が、重力方向ＧＤの、表示画面１１１（図１参照）への投影方向ＭＤに一致するように、回転オブジェトの姿勢を調整することができる。投影方向ＭＤとは重力方向を示す仮想線Ｌ′上の表示画面１１１への投影線Ｌ（重力方向ＧＤを示す仮想線Ｌ′と投影方向ＭＤを示す投影線Ｌが作る平面は、表示画面１１１に対して垂直となる）に沿った方向である。
【００２５】
図５は回転オブジェクトテーブル１３３の具体例を示す図である。回転オブジェクトテーブル１３３には、回転オブジェクトのＩＤ、回転オブジェクトの画像情報、投影方向ＭＤが表す角θの最新の値（「投影角θp」）、回転オブジェクトの座標Ｐ（ｎ）が記憶されている。回転オブジェクトの画像情報は、画像データが格納されているアドレスであってもいし、文字コード等のキャラクタコードであってもよい。回転オブジェクトが文字等のフォントである場合には、携帯型電子機器（携帯型電話機１）内のフォントを使用することができる。通常、回転オブジェクトは文字列であるが、回転オブジェクトテーブル１３３に文字コードからなる文字列が登録されている場合には、横書きを縦書きに変換し、逆に縦書きを横書きに変換することで、ユーザにとって地図等を見やすくすることもできる。
【００２６】
図６に表示対象画像Ｇのレイヤー構造を示す。表示対象画像Ｇは回転オブジェクトレイヤーＬ１と、固定オブジェクトレイヤーＬ２とからなる。本実施形態では、回転オブジェクトレイヤーＬ２に表示された地図上の文字（数字を含む）、記号等の全部または一部（本実施形態では全部）が回転処理を受ける回転オブジェクトである。また固定オブジェクトレイヤーＬ２に表示された地図の線図は固定オブジェクトである。
【００２７】
本発明の画像表示方法は、画像表示機能部１３により実施することができる。以下、図５における重力方向検出部１３１、回転オブジェクト処理部１３２、回転オブジェクトテーブル１３３の動作（本発明の画像表示方法の作用）を、図１から図６を参照しつつ図７のフローチャートにより説明する。
【００２８】
まず、回転オブジェクト処理部１３２が画像ファイルを取得する（Ｓ１０１）。具体的には、図２において、ユーザが地図（表示対象画像Ｇ）を通信部１２３から記憶部１２２にダウンロードする。
【００２９】
次に、回転オブジェクト処理部１３２は、ダウンロードした画像ファイルが回転オブジェクトテーブル１３３（ＴＢＬ）を含むか否かをチェックし（Ｓ１０２）、回転オブジェクトテーブル１３３を含むとき（Ｓ１０２の「ＹＥＳ」）は、回転オブジェクトテーブル１３３を記憶部１２２に記憶する（Ｓ１０３）。なお、本実施形態では回転オブジェクトテーブル１３３における投影角θは初期値がゼロ（θ＝０）にセットされている。
【００３０】
回転オブジェクト処理部１３２は、Ｓ１０２のチェックの結果、画像ファイルが回転オブジェクトテーブル１３３を含まないとき（Ｓ１０２の「ＮＯ」）は、画像ファイルが回転オブジェクトレイヤーＬ１を含むファイルか否かをチェックする（Ｓ１０４）。Ｓ１０４のチェックにおいて、画像ファイルＧＦが回転オブジェクトレイヤーを含むとき（Ｓ１０４の「ＹＥＳ」）は、回転オブジェクトテーブル１３３の作成を行い、記憶部１２２に記憶する（Ｓ１０５）。回転オブジェクト処理部１３２は、Ｓ１０４のチェックにおいて、画像ファイルＧＦが回転オブジェクトレイヤーを含まないとき（Ｓ１０４の「ＮＯ」）は、画像ファイルＧＦは本実施形態における処理を行うべき表示対象画像Ｇではないので、通常の画像表示（文字等を回転させない表示）を行う（Ｓ１０６）。
【００３１】
回転オブジェクト処理部１３２は、Ｓ１０３において回転オブジェクトテーブル１３３が記憶部１２２に記憶されたとき、または回転オブジェクトテーブル１３３が作成され記憶部１２２に記憶されたときは、重力方向検出部１３１により検出した投影角θを取得する（Ｓ１０７）。
【００３２】
次に、回転オブジェクト処理部１３２は、投影角θと回転オブジェクトテーブル１３３に記憶されている投影角θpとの差を計算し、当該差が所定の閾値を越えているか否かをチェックし（Ｓ１０８）、超えていないとき（Ｓ１０８の「ＮＯ」）は処理をＳＳ１０７に戻し、超えているとき（Ｓ１０８の「ＹＥＳ」）は、回転オブジェクトＲＯを回転させたときに他の回転オブジェクトＲＯと干渉しないか（具体的には重ならないか）をチェックする（Ｓ１０９）。Ｓ１０９のチェックにおいて回転オブジェクトＲＯを回転させたときに他の回転オブジェクトＲＯと干渉するとき（Ｓ１０９の「ＹＥＳ」）は、重複排除処理、すなわち優先度が低い回転オブジェクトを削除するか縮小し（Ｓ１１０）、処理をＳ１０９に戻す。
【００３３】
回転オブジェクト処理部１３２は、Ｓ１０９のチェックにおいて回転オブジェクトＲＯを回転させたときに他の回転オブジェクトＲＯと干渉するときは（Ｓ１０９の「ＮＯ」）、回転オブジェクトの回転角θを回転オブジェクトテーブル１３３に書き込み（θをθpに上書きしてこれを新たなθpとし）（Ｓ１１０）、回転オブジェクトＲＯを表示画面１１１に回転表示する（Ｓ１１１）。
【００３４】
なお、図１で説明した携帯型電話機１は、操作部１２５は、テンキーＴＫ等各種操作キーの他、回転操作装置ＲＤ（図１の破線参照）を含むことができる。表示対象画像（地図）が回転した場合にも上記実施形態がそのまま適用できる。また、携帯型電子機器がＧＰＳを搭載しており表示対象画像（地図）が東西南北の方位に合うように回転するような場合にも上記実施形態がそのまま適用できる。
【００３５】
また、表示対象画像Ｇが地図以外の画像（設計図等）である場合にも上記実施形態がそのまま適用できる。
【００３６】
さらに、表示対象画像Ｇが三次元画像の場合、回転対象回転オブジェクトを三次元回転オブジェクトとすることができる。この場合にも、三次元回転オブジェクトについて、上述した回転制御を施すことができる。
【００３７】
図８（Ａ），（Ｂ），（Ｃ）に、上下向きを正姿勢属性として持つ表示画像Ｇ′を、その姿勢が正しくなるように表示画面１４１に表示する画像表示装置１′の他の実施形態を示す。図８（Ａ）において、画像表示装置１′は、重力方向を検出する重力方向検出部１４２と、表示画像Ｇ′の上下方向が、重力方向の前記表示画面への投影方向に一致するように、表示画像Ｇの姿勢を調整する表示画像回転処理部１４３とを備えている。画像表示装置１′では、ＭＤの方向に応じて、図８（Ｂ）や図（Ｃ）に示すように表示画像が回転表示される。
【００３８】
上記の実施形態では、画像表示装置として携帯型電話機を例に説明したが、本願発明はこれに限られるものではなく、フォトビューワ、ＰＤＡ、デジタルカメラ、ゲーム機等の種々の画像表示装置に適用が可能である。
【図面の簡単な説明】
【００３９】
【図１】携帯型電話機を示す外観図である。
【図２】携帯型電子機器のハードウェア・ブロック図である。
【図３】携帯型電話機が回転オブジェクトの姿勢制御を行う際の機能を示すブロック図である。
【図４】（Ａ）は回転オブジェクトが回転した様子を示す図、（Ｂ）は重力方向が表示画面に投影投影された様子を示す図である。
【図５】回転オブジェクト姿勢情報テーブルを示す図である。
【図６】表示対象画像のレイヤー構造を示す図である。
【図７】本発明の画像表示方法を示すフローチャートである。
【図８】本発明の他の実施形態を示す図であり、（Ａ）は携帯型電子機器を示す図、（Ｂ），（Ｃ）はＭＤの方向に応じて表示画像が回転表示され様子を示す図である。
【符号の説明】
【００４０】
１，１′  携帯型電子機器
１１１  表示画面
１１２  操作パネル
１２１  制御部
１２２  記憶部
１２３  通信部
１２４  音声入出力部
１２５  操作部
１２６  表示部
１２７  重力方向センサー
１３１  重力方向検出部
１３２  回転オブジェクト処理部
１３３，ＴＢＬ  回転オブジェクトテーブル
１４１  表示画面
１４２  重力方向検出部
１４３  表示画像回転処理部
１２１１  ＣＰＵ
１２１２  ＲＯＭ
Ｇ  表示対象画像
Ｇ′  表示画像
ＴＫ  テンキー
ＲＤ  回転操作装置
ＲＯ  回転オブジェクト
【図１】
2007310031.tif 000003
【図２】
2007310031.tif 000004
【図３】
2007310031.tif 000005
【図４】
2007310031.tif 000006
【図５】
2007310031.tif 000007
【図６】
2007310031.tif 000008
【図７】
2007310031.tif 000009
【図８】
2007310031.tif 000010